(57)【特許請求の範囲】
【請求項１】
直線状の状態から巻き込まれた状態へと変形可能であり、かつ前記巻き込まれた状態から前記直線状の状態へ復元しようとする測定テープと、
前記測定テープを出入部を通して上面から出入可能であり、内部に前記測定テープを受け入れ可能な円筒形状を有するケース部材と、
前記ケース部材に回転可能に収容されており、内部に前記測定テープを巻き込み可能な円筒形状を有するスリーブとを備え、
前記ケース部材は、前記出入部の一部を規定し、かつ前記測定テープを出し入れする際に前記測定テープの外側が当接する当接部を含み、
前記ケース部材は、前記当接部に前記測定テープの外側を当接させた状態で前記測定テープを保持可能に構成されており、
前記測定テープと前記ケース部材との接触部分の摩擦抵抗で前記測定テープは前記ケース部材に係止されており、
前記上面に開口部が設けられており、前記開口部に前記出入部が設けられており、
前記開口部は、前記上面から見て、扇形に設けられており、前記開口部の扇形の半径方向部分は、前記ケース部材の径方向の中心に対して直角より大きな角度となるように前記ケース部材の径方向に対して斜めに形成されている、巻尺。
【請求項２】
前記ケース部材は、前記出入部の一部を規定し、かつ前記ケース部材の径方向外方から径方向中央に向かって前記上面側から下面側に向かって斜めに延びている上面側部分を有している、請求項１に記載の巻尺。
【請求項３】
直線状の状態から巻き込まれた状態へと変形可能であり、かつ前記巻き込まれた状態から前記直線状の状態へ復元しようとする測定テープと、
前記測定テープを出入部を通して上面から出入可能であり、内部に前記測定テープを受け入れ可能な円筒形状を有するケース部材と、
前記ケース部材に回転可能に収容されており、内部に前記測定テープを巻き込み可能な円筒形状を有するスリーブとを備え、
前記ケース部材は、前記出入部の一部を規定し、かつ前記測定テープを出し入れする際に前記測定テープの外側が当接する当接部を含み、
前記ケース部材は、前記当接部に前記測定テープの外側を当接させた状態で前記測定テープを保持可能に構成されており、
前記スリーブは、前記スリーブを径方向に変形可能とするための切欠部を含む、巻尺。
【請求項４】
前記上面から突出する突出部をさらに備え、
前記突出部は、前記測定テープの内側を保持可能に構成されている、請求項１〜３のいずれかに記載の巻尺。
【請求項５】
前記測定テープの材料は、金属を含み、
前記測定テープは、短手方向に湾曲している、請求項１〜４のいずれかに記載の巻尺。
【発明の詳細な説明】
【技術分野】
【０００１】
本発明は巻尺に関し、特に、測定テープをケース部材に巻き込み可能な巻尺に関するものである。
【背景技術】
【０００２】
従来、巻尺はケース部材の内壁に沿って測定テープを巻き込むことで測定テープをケース部材に収容している。たとえば、実開平４−１４０３号公報（特許文献１）には、リング状収容部内に測定テープを巻き込んで収容するリング状巻尺が開示されている。
【０００３】
また、たとえば、独国実用新案第２０２００７０１１７５２号明細書（特許文献２）には、測定テープが巻かれた状態で測定テープの一部がケース部材に収容される巻尺が開示されている。
【先行技術文献】
【特許文献】
【０００４】
【特許文献１】実開平４−１４０３号公報
【特許文献２】独国実用新案第２０２００７０１１７５２号明細書
【発明の概要】
【発明が解決しようとする課題】
【０００５】
上記の実開平４−１４０３号公報に記載された巻尺では、リング状収容部内に測定テープが巻き込まれて収容される際、引き出し押し込み口から挿入された測定テープがリング状収容部の内壁に接触するため摩擦抵抗が大きい。また、リング状収容部が矩形に形成されているため、測定テープが巻き込まれる際、略直角に測定テープを曲げなければならない。そのため、リング状収容部に測定テープを挿入しにくいという問題がある。
【０００６】
また、上記の独国実用新案第２０２００７０１１７５２号明細書では、測定テープがケース部材から引き出される際、測定テープとケース部材との摩擦力が足りないので測定テープがケース部材で止まりにくいという問題がある。
【０００７】
本発明は上記課題を鑑みてなされたものであり、その目的は、測定テープをケース部材内に容易に挿入することができ、かつケース部材から引き出された測定テープを止めたい位置で止めることができる巻尺を提供することである。
【課題を解決するための手段】
【０００８】
本発明の巻尺は、直線状の状態から巻き込まれた状態へと変形可能であり、かつ巻き込まれた状態から直線状の状態へ復元しようとする測定テープと、測定テープを出入部を通して上面から出入可能であり、内部に測定テープを受け入れ可能な円筒形状を有するケース部材と、ケース部材に回転可能に収容されており、内部に測定テープを巻き込み可能な円筒形状を有するスリーブとを備えている。ケース部材は、出入部の一部を規定し、かつ測定テープを出し入れする際に測定テープの外側が当接する当接部を含んでいる。ケース部材は、当接部に測定テープの外側を当接させた状態で測定テープを保持可能に構成されている。測定テープとケース部材との接触部分の摩擦抵抗で測定テープはケース部材に係止されている。上面に開口部が設けられており、開口部に出入部が設けられている。開口部は、上面から見て、扇形に設けられており、開口部の扇形の半径方向部分は、ケース部材の径方向の中心に対して直角より大きな角度となるようにケース部材の径方向に対して斜めに形成されている。
【０００９】
本発明の巻尺では、スリーブが内部に測定テープを巻き込み可能であり、測定テープを巻き込む際にスリーブが回転する。そのため、測定テープをケース部材の内部に容易に挿入することができる。
【００１０】
ケース部材が測定テープを出入部を通して上面から出入可能であり、当接部に測定テープの外側を当接させた状態で測定テープを保持可能に構成されているため、巻き込まれた状態の測定テープがケース部材の外径方向に広がることで、測定テープの外側が当接部に当接して保持される。そのため、ケース部材から引き出された測定テープを任意の位置で止めることができるので止めたい位置で止めることができる。
【００１１】
本発明の巻尺では、好ましくは、ケース部材は、出入部の一部を規定し、かつケース部材の径方向外方から径方向中央に向かって上面側から下面側に向かって斜めに延びている上面側部分を有している。これにより、出入部に測定テープを斜めに挿入することができるため測定テープが出入部からケース部材の内部に挿入される際に、スリーブの内側に測定テープを沿わせやすくすることができる。また、上面側部分がケース部材の径方向外方から径方向中央に向かって上面側から下面側に向かって斜めに延びているため出入部から測定テープが引き出された際に、測定テープの外側のエッジが当接部に向かって押し上げられるので、測定テープの外側と当接部とを当接しやすくすることができる。
【００１２】
本発明の巻尺では、好ましくは、スリーブは、スリーブを径方向に変形可能とするための切欠部を含んでいる。このため、測定テープがスリーブの内部に巻き込まれた状態で、巻き込まれた状態の測定テープがスリーブの外径方向に広がることで、スリーブを外径方向に広げるように変形させることができる。これにより、スリーブによってケース部材を付勢することでスリーブの回転を抑制できる。したがって、ケース部材から引き出された測定テープを止めたい位置でさらに効果的に止めることができる。
【００１３】
本発明の巻尺は、好ましくは、上面から突出する突出部をさらに備えている。突出部は、測定テープの内側を保持可能に構成されている。上面から突出する突出部で測定テープの内側が保持されることで、巻き込まれた状態の測定テープがケース部材の外径方向に広がることをさらに強く抑制することができる。そのため、突出部によって測定テープをさらに強く止めることができる。
【００１４】
本発明の巻尺では、好ましくは、測定テープの材料は、金属を含んでいる。測定テープは、短手方向に湾曲している。これにより、測定テープの材料および形状によって測定テープのバネ性を向上することができる。
【発明の効果】
【００１５】
以上説明したように、本発明の巻尺によれば、測定テープをケース部材内に容易に挿入することができ、かつケース部材から引き出された測定テープを止めたい位置で止めることができる。
【図面の簡単な説明】
【００１６】
【図１】本発明の一実施の形態における巻尺の概略正面図である。
【図２】本発明の一実施の形態における巻尺の概略斜視図である。
【図３】図１のＩＩＩ−ＩＩＩ線に沿う巻尺の概略断面図である。
【図４】本発明の一実施の形態における巻尺の概略分解斜視図である。
【図５】図２のＶ−Ｖ線に沿う測定テープの概略断面図である。
【図６】本発明の一実施の形態における巻尺の使用状態を示す概略正面図である。
【発明を実施するための形態】
【００１７】
以下、本発明の一実施の形態について図に基づいて説明する。なお、同一の機能を果たす要素には同一の参照符号を付し、その説明は、特に必要がなければ繰り返さない。
【００１８】
図１および図２を参照して、本実施の形態の巻尺１０は、測定テープ１がケース部材２の出入部４ａを通って上面２ａから図１中矢印Ａ方向に出入可能に構成されている。測定テープ１は捩られた状態でケース部材２から引き出され得るようにケース部材２に収容されている。測定テープの先端部には爪部１ａが固着されている。なお、爪部１ａは、使用上の必要に応じて設けられていればよく、必要なければ設けられていなくてもよい。
【００１９】
図３および図４を参照して、さらに詳しく巻尺１０の構成について説明する。巻尺１０は、測定テープ１と、ケース部材２と、スリーブ３とを主に有している。なお、図３では、見やすくするため、測定テープ１の一部は図示されていない。
【００２０】
測定テープ１は、直線状の状態から巻き込まれた状態へと変形可能であり、かつ巻き込まれた状態では直線状の状態へ復元しようとするように構成されている。測定テープ１は、バネとして機能するようにバネ性を有している。測定テープ１の材料は、金属を含んでいてもよい。測定テープの材料は、たとえば、炭素鋼材、ステンレス材などが適用され得る。図５を参照して、測定テープ１は、バネ性を有するように短手方向ＳＤに湾曲していてもよい。
【００２１】
再び図３および図４を参照して、ケース部材２は、測定テープ１とスリーブ３とを収容可能に構成されている。ケース部材２は、測定テープ１を出入部４を通して上面２ａから出入可能に構成されている。ケース部材２は、内部に測定テープ１を受け入れ可能に構成されている。ケース部材２は円筒形状を有している。
【００２２】
再び図１および図２を参照して、ケース部材２は、出入部４ａの一部を規定する当接部２０を有している。当接部２０は、測定テープ１を出し入れする際に、測定テープ１の外側１ｃが当接するように設けられている。ケース部材２は、当接部２０に測定テープ１の外側１ｃを当接させた状態で測定テープ１を保持可能に構成されている。
【００２３】
ケース部材２の上面２ａには開口部６が設けられている。開口部６が設けられているため、測定テープ１の先端部がケース部材２の内部に容易に収容され、また取り出される。開口部６は、上面２ａから見て、たとえば１２０°〜１４０°の角度で扇形に設けられていてもよい。開口部６の扇形の半径方向部分は、ケース部材２の径方向の中心に対して直角より大きな角度となるようにケース部材２の径方向に対して斜めに形成されている。これにより、測定テープ１が開口部６を通って出入部４からケース部材２の内部に挿入される際に、出入部４に測定テープを挿入しやすくすることができる。
【００２４】
なお、本発明の一実施の形態のケース部材２では上面２ａと反対側の下面に開口が形成されている。開口部６の両端部に、測定テープ１がケース部材２の内外に出入りするための出入部４が設けられている。
【００２５】
図１中の開口部６の左端部に出入部４ａが設けられており、右端部に出入部４ｂが設けられている。このため、出入部４ａおよび４ｂのいずれかから測定テープ１を出入するかを使用者が選択することができる。右利きまたは左利きにかかわらず使用者は本実施の形態の巻尺を快適に使用することができる。
【００２６】
また、ケース部材２の上面２ａにおいて、開口部６以外の部分は上面２ａから下面側に向かって面積が小さくなるすり鉢形状を有している。すり鉢形状によって開口部６が斜めに形成されている。つまり、開口部６は上面２ａ側から下面側に向かってケース部材２の中心方向に斜めに形成されている。このため、ケース部材２は、出入部４の一部を規定し、かつケース部材２の径方向外方から径方向中央に向かって上面２ａ側から下面側に向かって斜めに延びている上面側部分２ｃを有している。
【００２７】
これにより、出入部４に測定テープ１を斜めに挿入することができる。そのため、測定テープ１が開口部６を通って出入部４からケース部材２の内部に挿入される際に、スリーブ３の内側に測定テープ１を沿わせやすくすることができる。また、上面側部分２ｃがケース部材２の径方向外方から径方向中央に向かって上面２ａ側から下面側に向かって斜めに延びているため、出入部４から測定テープ１が引き出された際に、測定テープ１の外側１ｃのエッジが当接部２０に向かって押し上げられるので、測定テープ１の外側１ｃと当接部２０とを当接しやすくすることができる。また、すり鉢形状によって使用者は開口部６に容易に指を挿入できるため、操作性が向上する。
【００２８】
ケース部材２の上面２ａには突出部５が設けられている。突出部５は上面２ａから突出するように設けられている。突出部５は、測定テープ１の内側１ｂを保持可能に構成されている。突出部５は開口部６に沿って設けられている。
【００２９】
再び図３および図４を参照して、ケース部材２は、たとえば樹脂からなっていてもよい。ケース部材２は、上ケース部材２１と下ケース部材２２と有している。上ケース部材２１の上係合部２１ａおよび下ケース部材２２の下係合部２２ａならびに上ケース部材２１の外周端部および下ケース部材の外周端部とが係合することで上ケース部材２１と下ケース部材２２とは係合可能に構成されている。上ケース部材２１と下ケース部材２２とは係合された状態でねじ７によってねじ止めされている。
【００３０】
スリーブ３は、ケース部材２に回転可能に収容されている。スリーブ３は、スリーブ３の内部において、測定テープ１を内周面３ｃ側に巻き込み可能に構成されている。なお、測定テープ１は、スリーブ３に固着されていない。測定テープ１は、スリーブ３の内周面３ｃに沿って、スリーブ３の内径側に積層するように巻き込まれる。スリーブ３は、円筒形状を有している。スリーブ３は、たとえば樹脂からなっていてもよい。
【００３１】
スリーブ３は、測定テープ１を受け入れた状態でケース部材２の内周面２ｂに外周面３ａを摺動可能に構成されている。スリーブ３は、外周面３ａに突起部を有していてもよい。この場合、この突起部がケース部材２の内周面２ｂに特に摺動する。スリーブ３は、測定テープ１がスリーブ３の外径方向に広がることにより、外径方向に広がることでケース部材２を付勢可能に構成されている。
【００３２】
スリーブ３はスリーブ３を径方向に変形可能とするための切欠部３ｂを有している。切欠部３ｂはスリーブ３の側面に形成されている。この切欠部３ｂで片持ち状態に形成された片持ち部３ｄは径方向に弾性変形しやすい。そのため、巻き込まれた状態の測定テープ１がスリーブ３の外径方向に広がることで、片持ち部３ｄが外径方向に弾性変形してケース部材２を付勢するようにスリーブ３は構成されている。
【００３３】
次に、本発明の一実施の形態の巻尺の使用状態について説明する。
まず、再び図１を参照して、測定テープ１がケース部材２で保持されている状態について説明する。測定テープ１は、ケース部材２の上面２ａから引き出されているため、ケース部材２の出入部４ａからケース部材２の上面２ａに沿う方向に捩られて引き出されている。測定テープ１の外側１ｃは、出入部４ａの一部を規定する当接部２０に当接して保持されている。当接部２０は出入部４ａと開口部６との境界部分に位置している。測定テープ１の内側１ｂは、突出部５に当接して保持されている。このように測定テープの内側１ｂと外側１ｃとの双方で測定テープ１はケース部材２と接触している。
【００３４】
この状態では、巻き込まれた状態から直線状の状態へ復元しようとする復元力（弾性力）によって測定テープ１がスリーブ３の外径方向に広げられる。このため、測定テープ１の内側１ｂおよび外側１ｃの双方はケース部材２に押し付けられている。測定テープ１とケース部材２との接触部分の摩擦抵抗で測定テープ１はケース部材２に係止されている。
【００３５】
また、測定テープ１の巻き込まれた状態から直線状の状態へ復元しようとする弾性力によってケース部材２の内周面２ｂにスリーブ３の外周面３ａが押し付けられている。ケース部材２の内周面２ｂとスリーブ３の外周面３ａとの接触部分の摩擦抵抗によってスリーブ３の回転が制止されている。
【００３６】
続いて、図６を参照して、測定テープ１がケース部材２から出入する状態について説明する。図１で示す状態から測定テープ１の保持を解除するように測定テープ１に対してケース部材２の内径側に力が加えられることで、測定テープ１とケース部材２との摩擦力が弱くなることで、測定テープ１がケース部材２に出入可能となる。より具体的には、測定テープ１の外側１ｃと当接部２０との摩擦力が弱くなり、測定テープ１の内側１ｂと突出部５との摩擦力が弱くなる。これにより測定テープ１の保持が解除されて測定テープ１がケース部材２に出入可能となる。
【００３７】
なお、測定テープ１とケース部材２とは完全に非接触である必要はなく、測定テープ１がケース部材２から出入可能となるように保持が解除されていればよい。したがって、測定テープ１はケース部材２に摺りながら出入されてもよい。
【００３８】
測定テープ１をケース部材に出入する際には、測定テープ１がスリーブ３に受入れられた状態でスリーブ３の外周面３ａがケース部材２の内周面２ｂに摺動する。この際にスリーブ３が回転するため、測定テープ１がケース部材２内に容易に挿入され、また引き出される。
【００３９】
なお、測定テープ１に対してケース部材２の内径側に力が加えられると、巻き込まれた状態から復元しようとする測定テープ１の弾性力によって、測定テープ１はケース部材２から引き出されるように力を受ける。そのため、測定テープ１の弾性力を利用して測定テープ１をケース部材２から引き出すことができる。
【００４０】
次に、本発明の一実施の形態の作用効果について説明する。
本発明一実施の形態の巻尺１０では、スリーブ３が内部に測定テープ１を巻き込み可能であり、測定テープ１を巻き込む際にスリーブ３が回転する。そのため、測定テープ１をケース部材２の内部に容易に挿入することができる。
【００４１】
ケース部材２が測定テープ１を出入部４を通して上面２ａから出入可能であり、当接部２０に測定テープ１の外側１ｃを当接させた状態で測定テープ１を保持可能に構成されているため、巻き込まれた状態の測定テープ１がケース部材の外径方向に広がることで、測定テープ１の外側１ｃが当接部２０に当接して保持される。そのため、ケース部材２から引き出された測定テープ１を任意の位置で止めることができるので止めたい位置で止めることができる。
【００４２】
本発明一実施の形態の巻尺１０では、巻き込まれた状態から測定テープ１が広がる方向で測定テープ１がケース部材２によって係止されているため、巻尺１０を上下左右のあらゆる方向に回転させた場合でもケース部材２から引き出された測定テープ１を止めたい位置で止めることができる。
【００４３】
また、本発明の一実施の形態の巻尺１０では、ケース部材２は、出入部４の一部を規定し、かつケース部材２の径方向外方から径方向中央に向かって上面２ａ側から下面側に向かって斜めに延びている上面側部分２ｃを有している。これにより、出入部４に測定テープ１を斜めに挿入することができるため測定テープ１が出入部４からケース部材２の内部に挿入される際に、スリーブ３の内側に測定テープ１を沿わせやすくすることができる。また、上面側部分２ｃがケース部材２の径方向外方から径方向中央に向かって上面２ａ側から下面側に向かって斜めに延びているため出入部４から測定テープ１が引き出された際に、測定テープ１の外側１ｃのエッジが当接部２０に向かって押し上げられるので、測定テープ１の外側１ｃと当接部２０とを当接しやすくすることができる。
【００４４】
また、本発明の一実施の形態の巻尺１０では、スリーブ３は、径方向に変形可能とするための切欠部３ｂを含んでいる。このため、測定テープ１がスリーブ３の内部に巻き込まれた状態で、巻き込まれた状態の測定テープ１がスリーブ３の外径方向に広がることで、スリーブ３を外径方向に広げるように変形させることができる。これにより、スリーブ３によってケース部材２を付勢することでスリーブ３の回転を抑制できる。したがって、ケース部材２から引き出された測定テープ１を止めたい位置でさらに効果的に止めることができる。
【００４５】
また、本発明の一実施の形態の巻尺１０では、ケース部材２の上面２ａから突出する突出部５で測定テープ１の内側１ｂが保持されることで、巻き込まれた状態の測定テープ１がケース部材２の外径方向に広がることをさらに強く抑制することができる。そのため、突出部５によって測定テープ１をさらに強く止めることができる。
【００４６】
また、本発明の一実施の形態の巻尺１０では、測定テープ１の材料は金属を含み、測定テープ１は短手方向ＳＤに湾曲しているため、測定テープ１の材料および形状によって測定テープ１のバネ性を向上することができる。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００４８】
本発明は、測定テープをケース部材に巻き込み可能な巻尺に、特に有利に適用され得る。
【符号の説明】
【００４９】
１  測定テープ、１ａ  爪部、１ｂ  測定テープの内側、１ｃ  測定テープの外側、２  ケース部材、２ａ  上面、２ｃ  上面側部分、３  スリーブ、４，４ａ，４ｂ  出入部、５  突出部、６  開口部、１０  巻尺、２０  当接部、２１  上ケース部材、２２  下ケース部材。
【図１】
0005718118.tif 000002
【図２】
0005718118.tif 000003
【図３】
0005718118.tif 000004
【図４】
0005718118.tif 000005
【図５】
0005718118.tif 000006
【図６】
0005718118.tif 000007